(57)【要約】【課題】  貴金属イオンをその還元体である貴金属として酵母を用いて回収する手段を提供する。【解決手段】  サッカロマイセス・セレヴィシエ（Saccharomyces cerevisiae）、ジゴサッカロマイセス・ルキシ（Zygosaccharomyces rouxii）、ジゾサッカロマイセス・ポンべ（Schizosaccharomyces pombe）や寄託番号ＮＩＴＥ−ＢＰ０１７８０で寄託されたデバリオマイセス属の酵母と、金やパラジウム、白金などの貴金属の金属イオンとを、好ましくは電子供与体を添加した液体中で接触させた後、回収した酵母から還元体である貴金属を回収する。【選択図】図１
2015099189.tif 000002
【特許請求の範囲】
【請求項１】
貴金属イオンを含む液体中で酵母と前記貴金属イオンを接触させて、酵母の菌体内に還元体である貴金属を蓄積させる工程を有する貴金属回収方法。
【請求項２】
前記貴金属イオンを含む液体は、電子供与体の無添加溶液である請求項１に記載の貴金属回収方法。
【請求項３】
前記貴金属イオンを含む液体は、電子供与体の添加溶液である請求項１に記載の貴金属回収方法。
【請求項４】
前記貴金属イオンは、金、銀、白金、パラジウム、ロジウム、イリジウム、ルテニウム、オスミウムからなる群から選ばれる１種又は２種以上のイオンである請求項１〜３の何れか１項に記載の貴金属回収方法。
【請求項５】
サッカロマイセス属、ジゴサッカロマイセス属、シゾサッカロマイセス属、デバリオマイセス属の酵母の何れか１種又は２種以上の酵母と接触させる請求項１〜４の何れか１項に記載の貴金属回収方法。
【発明の詳細な説明】
【技術分野】
【０００１】
本発明は貴金属の回収方法に関する。
【背景技術】
【０００２】
低品位鉱物や工場排水、植物などから微生物を用いて金属を回収する方法が知られている。例えば、特許文献１（特開２０１１−５２３１５号公報）には、特定の金属イオンを吸着する酵母にこの特定金属を吸着させた後にキレート剤を用いて回収する方法が開示されている。特許文献２（特開平１１−７７００８号公報）には、水産廃棄物を乳酸菌と酵母と炭化水素を含む水溶液中に浸漬して発酵処理した後に回収する方法が開示されている。特許文献３（特開２００４−３３８３７号公報）には、重金属を含む植物を乳酸菌と酵母と糖を含む培養液に浸漬することで重金属を解離した後にキレート剤を用いて回収する方法が開示されている。また、特許文献４（特開２００３−２８４５５６号公報）や特許文献５（特表２００９−５３８１２７号公報）には、金属を捕捉又は吸着するタンパク質をコードする遺伝子を形質転換した酵母などの形質転換体を用いて、金属を回収する方法が開示されている。特許文献４に示された当該タンパク質はヒスチジンポリプチドであって、特許文献４には金属イオンとして回収されることが示されている。特許文献５に示された当該タンパク質はフィトケラチン合成酵素又はメタロチオネインであって、金属とタンパク質の複合体として回収されることが示されている。【０００３】
しかしながら、これらの方法は金属を金属イオンとして回収する方法であり、これらの方法では、金属として回収するためには回収した金属イオンを還元させる操作やさらにはタンパクとの複合体から金属イオンを分離する操作が必要となる。【０００４】
一方、特許文献６（特開２００７−１１３１１６号公報）には、鉄還元細菌を作用させて、金属酸化物や金属水酸化物から金属を回収する方法が記載されている。この方法では、鉄還元細菌の菌体内に金属（還元体）として回収できる。【０００５】
しかしながら、この方法は鉄還元細菌の鉄還元作用を利用する方法であるので、培地には電子供与体が必要となる。また、鉄還元細菌の菌体は小さいので溶液からの細菌の回収が困難であるという問題もあった。【０００６】
また、鉄還元細菌以外には、非特許文献１に、自然界から単離されたDelftia acidovoransが細胞外に分泌する代謝物が、培養液中の３価のＡｕイオンをＡｕナノ粒子に還元・析出させることが記載されているが、これまでのところ、酵母が貴金属イオンを還元して金属として菌体内に蓄積することは知られていない。
【先行技術文献】
【特許文献】
【０００７】
【特許文献１】特開２０１１−５２３１５号公報
【特許文献２】特開平１１−７７００８号公報
【特許文献３】特開２００４−３３８３７号公報
【特許文献４】特開２００３−２８４５５６号公報
【特許文献５】特表２００９−５３８１２７号公報
【特許文献６】特開２００７−１１３１１６号公報
【非特許文献】
【０００８】
【非特許文献１】ネイチャー  ケミカルバイオロジー、９、２４１、２０１３
【発明の概要】
【発明が解決しようとする課題】
【０００９】
本発明の課題は、酵母の還元力を利用して貴金属イオンをその還元体である貴金属として回収する手段を提供することにある。
【課題を解決するための手段】
【００１０】
本発明に係る方法は、貴金属イオンを含む液体中で酵母と前記貴金属イオンを接触させて、酵母の菌体内に還元体である貴金属を蓄積させる工程を有する。
【発明の効果】
【００１１】
本発明によると、酵母を用いて貴金属イオンを還元して還元体である貴金属として回収できる。
【図面の簡単な説明】
【００１２】
【図１】図１はサッカロマイセス・セレビシエ及びデバリオマイセス・ハンセンイーによる金の還元結果を示すグラフである。Ｂ株はサッカロマイセス・セレビシエ（Saccharomyces cerevisiae BY4741株）、Ｄ株はデバリオマイセス・ハンセンイー（Debaryomyces hansenii NITE BP-01780）である。
【図２】図２はギ酸塩の存在下で金イオンと２４時間接触させた後の酵母（Ｂ株）のＴＥＭ画像である。
【図３】図３はサッカロマイセス・セレビシエ及びデバリオマイセス・ハンセンイーによるパラジウムの還元結果を示すグラフである。Ｂ株はサッカロマイセス・セレビシエ（Saccharomyces cerevisiae BY4741株）、Ｄ株はデバリオマイセス・ハンセンイー（Debaryomyces hansenii NITE BP-01780）である。
【図４】図４はギ酸塩の存在下でパラジウムイオンと２４時間接触させた後の酵母（Ｂ株）のＴＥＭ画像である。
【図５】図５はパン酵母（出芽酵母 Saccahromyces cerevisiae NBRC 2044株）による金の還元結果を示すグラフである。
【図６】図６は分裂酵母（Schizosaccharomyces pombe FY15985株）による金の還元結果を示すグラフである。
【図７】図７は味噌酵母（Zygosaccharomyces rouxii NBRC 1130株）による金の還元結果を示すグラフである。
【図８】図８はギ酸塩の存在下で金イオンと２４時間接触させた後のパン酵母（出芽酵母 S. cerevisiae）を乾燥（５０℃、４８時間）させて測定した粉末Ｘ線回析の結果を示す回析図である。
【図９】図９はギ酸塩の存在下で金イオンと２４時間接触させた後のパン酵母（出芽酵母 S. cerevisiae）のＴＥＭ画像と、その酵母の一部を拡大した画像である。
【図１０】図１０はギ酸塩の存在下で金イオンと２４時間接触させた後のパン酵母（出芽酵母 S. cerevisiae）のＥＤＸ分析結果を示す画像であって、（ａ）はＨＡＡＤＦによる画像を、（ｂ）は金元素のマッピング後の画像である。同図（ａ）の白い部分は金粒子を示し、同図（ｂ）において当該白い部分がマッピングされている。
【図１１】図１１はパン酵母（出芽酵母 Saccahromyces cerevisiae NBRC 2044株）によるパラジウムの還元結果を示すグラフである。
【図１２】図１２は分裂酵母（Schizosaccharomyces pombe FY15985株）によるパラジウムの還元結果を示すグラフである。
【図１３】図１３は味噌酵母（Zygosaccharomyces rouxii NBRC 1130株）によるパラジウムの還元結果を示すグラフである。
【図１４】図１４はギ酸塩の存在下でパラジウムイオンと２４時間接触させた後のパン酵母（出芽酵母 S. cerevisiae）を乾燥（５０℃、４８時間）させて測定した粉末Ｘ線回析の結果を示す回析図である。
【図１５】図１５はギ酸塩の存在下でパラジウムイオンと２４時間接触させた後のパン酵母（出芽酵母 S. cerevisiae）のＴＥＭ画像と、その酵母の一部を拡大した画像である。
【図１６】図１６はギ酸塩の存在下でパラジウムイオンと２４時間接触させた後のパン酵母（出芽酵母 S. cerevisiae）のＥＤＸ分析結果を示す画像であって、（ａ）はＨＡＡＤＦによる画像を、（ｂ）はパラジウム元素のマッピング後の画像である。同図（ａ）の白い部分はパラジウム粒子を示し、同図（ｂ）において当該白い部分がマッピングされている。
【発明を実施するための形態】
【００１３】
本発明に係る方法は、貴金属イオンを含む液体中で酵母と前記貴金属イオンを接触させて、酵母の菌体内に還元体である貴金属を蓄積させる工程を有する方法である。つまり、本発明は、酵母が有する還元力を利用して貴金属イオンを貴金属として回収することに特徴がある。
【００１４】
従って、本発明で使用し得る酵母は菌体内で貴金属イオンを還元できる酵母であればいずれの酵母でもよい。本発明において酵母はサッカロマイセス属に限られず、その他の酵母を含む広義の意味で用いられる。本発明で使用できる酵母は、例えば、サッカロマイセス属（Saccharomyces）やカンジダ属（Candida）、トルロプシス属（Torulopsis）、ジゴサッカロマイセス属（Zygosaccharomyces）、シゾサッカロマイセス属（Schizosaccharomyces）、ピチア属（Pichia）、ヤロウィア属（Yarrowia）、ハンセヌラ属（Hansenula）、クルイウェロマイセス属（Kluyveromyces）、デバリオマイセス属（Debaryomyces）、ゲオトリクム属（Geotrichum）、ウィッケルハミア属（Wickerhamia）、フェロマイセス属（Fellomyces）、スポロボロマイセス属（Sporobolomyces）の酵母であり、この中でも特にサッカロマイセス属、ジゴサッカロマイセス属、シゾサッカロマイセス属やデバリオマイセス属に属する酵母が好ましい。サッカロマイセス属の酵母は出芽酵母の代表的な酵母であって、例えば、S. bayanusであり、S. boulardiiであり、S. bulderiであり、S. cariocanusであり、S. cariocusであり、S. cerevisiaeであり、S. chevalieriであり、S. dairenensisであり、S. ellipsoideusであり、S. florentinusであり、S. kluyveriであり、S. martiniaeであり、S. monacensisであり、S. norbensisであり、S. paradoxusであり、S. pastorianusであり、S. spencerorumであり、S. turicensisであり、S. unisporusであり、S. uvarumであり、S. zonatusであり得る。ジゴサッカロマイセス属は耐塩性の酵母であって、味噌や醤油などから分離される酵母であり、例えばZ. rouxiiであり得る。シゾサッカロマイセス属の酵母は分裂酵母であり、例えばS. cryophilusであり、S. japonicusであり、S. octosporusであり、S. pombeであり得る。また、好ましい酵母として受託番号ＮＩＴＥ  ＢＰ−０１７８０（日本国千葉県木更津市かずさ鎌足２−５−８  １２２号室  独立行政法人製品評価技術基盤機構  特許微生物寄託センター）で寄託されたデバリオマイセス属の酵母（Debaryomyces hansenii）も例示される。
【００１５】
本発明に係る方法で回収可能な金属は、貴金属である。具体的には、金及び白金族金属であり、より具体的には金であり、銀であり、白金であり、パラジウムであり、ロジウムであり、イリジウムであり、ルテニウムであり、オスミウムであり得る。
【００１６】
これら貴金属の貴金属イオンと酵母との接触は液体中で行われる。酵母は生菌でもよく、また還元機能が発揮される限り死菌であってもよい。液体は酵母の機能が発揮される環境であればよい。例えば、水のみであってもよく、水にリン酸水素カリウムなどのｐＨ調整剤及び／又は塩化ナトリウム（酵母の懸濁に用いる生理食塩水に由来する塩化ナトリウムや等張にするための塩化ナトリウム）のみを加えた液体であり得る。また、当該液体は、電子供与体を人為的に加えた溶液（添加溶液）であり、電子供与体を人為的に加えない溶液（無添加溶液）でもあり得る。電子供与体は、例えば、低分子の有機酸及び／又はその塩やアルコール類、水素ガスであり得る。有機酸は、例えば、ギ酸や酢酸、乳酸などの炭素数１〜７の脂肪族カルボン酸、安息香酸などの炭素数１〜７のカルボキシル基を有する芳香族カルボン酸、ピルビン酸、オキソカルボン酸であり得る。アルコール類は、例えば、メタノールやエタノールなどの炭素数１〜７の脂肪族アルコールであり得る。これらの電子供与体の添加は貴金属イオンの還元に貢献し、貴金属イオンの還元量（還元力）を増加し得る。なお、本発明では、電子供与体から供給される電子の最終受容体は金属イオンであると考えられることより、電子受容体の添加は必須ではない。
【００１７】
また、当該液体は、酵母の生育に必要な栄養素を必須とはしないが、酵母の生育に最低限必要な栄養素（窒素源や炭素源）を含む液体でもあり得る。このような栄養素は酵母の培養に用いられる栄養素であり、例えば、ショ糖、ブドウ糖、乳糖、酵母エキス、肉エキス、ブイヨン、ポリペプトンやペプトンであり得る。栄養素を含む場合、酵母と接触させる液体は、貴金属イオンを含む液体中にこれらの栄養素が添加され、あるいはこれらの栄養素を含む溶液中に回収する貴金属イオンを含む液体を添加することで調製される。栄養素を含む液体は、例えば、酵母用に特化されたＹＰＤ培地であり、汎用培地であるブイヨン培地で有り得る。
【００１８】
貴金属イオンを含む液体は回収対象物から公知の方法で調製され得る。その調製法は、例えば、土壌であれば水に懸濁して必要に応じて酸処理を行う方法であり、鉱物や合金であれば酸処理を行い必要に応じてろ過や中和処理を行う方法である。回収対象物は、貴金属イオンとして取り出せる対象物であればよく、塩であるか合金のような金属であるかを問わず、又液体であるか固体であるかを問わず、前記の貴金属又は貴金属イオンを含むものであれば特に限定されない。貴金属イオンを含む液体は、前記貴金属以外の非貴金属や非貴金属イオンを含むものであっても差し支えない。
【００１９】
酵母と接触させる液体のｐＨや温度は当業者が適宜設定できる事項である。液体のｐＨは好ましくは７前後の中性からｐＨ５程度の弱酸性であり、温度は好ましくは２５〜３５℃である。接触時間は、酵母の菌体密度や貴金属イオンの濃度によっても異なるが、概ね１時間から４８時間であり、この程度の時間、酵母と接触させることで貴金属イオンは酵母の菌体内で還元され、貴金属（粒）として酵母の菌体内に蓄積される。また、酵母との接触中は液体を振とうすることが好ましい。液体中の貴金属イオンが酵母表面に拡散する移動速度が高まるからである。
【００２０】
酵母と接触させる液体の貴金属イオン濃度も当業者が適宜設定できる事項である。貴金属イオン濃度は、酵母の菌体濃度によっても異なるが、概ね０.０１〜１００ｍｍｏｌ／ｌであり、好ましくは０.１〜１０ｍｍｏｌ／ｌである。電子供与体の添加量も適宜設定され得る。電子供与体の添加量は金属種や菌体数によっても異なるが、上記の貴金属イオン濃度であれば、酵母と接触させる液体中の濃度は、概ね０.０１〜１０００ｍｍｏｌ／ｌであって、貴金属イオン濃度と同程度かそれ以上、好ましくは１０倍程度である。
【００２１】
貴金属イオンと接触した後の酵母の菌体を破壊することで還元された貴金属は貴金属粒（貴金属結晶）として回収される。回収された金属粒の密度は高いので菌体を破壊した溶液中に沈殿し、その沈殿物は公知の方法で簡単に回収される。また、酵母の菌体を回収した後に菌体から貴金属を回収してもよい。例えば、回収した酵母を燃やして貴金属粒又は貴金属塊として回収する方法が例示される。
【００２２】
このように本発明の方法は、酵母の還元力を利用して酵母の菌体中に貴金属イオンを金属（粒）として回収する方法なので、酵母からの回収が容易である。また、酵母菌体は鉄還元細菌の菌体よりも大きいので（鉄還元菌体は１ミクロン程度であるのに対して、酵母菌体は５ミクロン程度である）、菌体の固液分離が鉄還元細菌の菌体よりも容易である。
【００２３】
以下、本発明について下記実施例に基づいてさらに説明するが、本発明は下記実施例に限定されないのは言うまでもない。
【実施例１】
【００２４】
酵母の代表菌であるサッカロマイセス・セレビシエ（Saccharomyces cerevisiae、BY4741株：Ｂ株）と、カドミウム耐性酵母であるデバリオマイセス・ハンセンイー（Debaryomyces hansenii：Ｄ株）を使用した。このデバリオマイス・ハンセンイーは次のようにして単離され、受託番号ＮＩＴＥ  ＢＰ−０１７８０で、国際寄託当局である日本国千葉県木更津市かずさ鎌足２−５−８  １２２号室  独立行政法人製品評価技術基盤機構  特許微生物寄託センターに、２０１３年１２月６日付で寄託された。【００２５】
〔Debaryomyces hansenii（Ｄ株）の単離〕
種々の酒粕・味噌等の発酵塩性食品から酵母をスクリーニングした。単離源試料を滅菌水に懸濁し、験濁液を１３％のNaClを含むＹＰＤ（２％グルコース、０.５％酵母エキス、０.５％ペプトン）平板培地に塗布し、３０℃、４８時間培養後、生育してきたコロニーを単離した。単離した菌株を検鏡により酵母を選別した。得られた耐塩性酵母菌株を200μＭの塩化カドミウムを含むＹＰＤ液体培地に接種後、３０℃で静置培養した。７２時間目までに生育した菌株の菌体カドミウム含量を計測し、前記のSaccharomyces cerevisiae  Ｂ株よりも多い量のカドミウムを含有する株を単離した。【００２６】
（金の回収）
上記２株の酵母をそれぞれＹＰＤ培地に接種した後、３０℃、４８時間静置培養した。培養した菌体を回収した後、１.０mmol/m3の金イオン（Ａｕ３＋）を含む塩化金の水溶液に、Ｂ株の菌体濃度が０.８×１０８cells/ml、Ｄ株の菌体濃度が１.０×１０８cells/mlとなるようにそれぞれ酵母を加えた。酵母を加えた後、３０℃で静置し、溶液の金濃度の変化及び溶液の色調変化を調べた。また、電子供与体としてギ酸ナトリウムを５０mmol/m3となるように加えた場合、同じく水素ガスを溶液中に供給した場合についても同様の実験を行った。その結果を図１に示した。また、ＴＥＭ（透過型電子顕微鏡：Transmission Electron Microscope）を用いて、ギ酸ナトリウムの存在下２４時間接触後の酵母を撮影した。その結果を図２に示した。【００２７】
図１から分かるように、電子供与体の有無を問わず、全ての株においてｐＨは６.５〜６.６に保たれた一方で、溶液のＡｕ濃度は低下した。また、２４時間接触後の溶液の色は全ての系において、実験開始前の黄色からレモン色であったのが淡い紫色からピンク色に変化していた。金属の超微粒子が特定の波長の光を吸収する現象（プラズモン吸収）はよく知られた現象であり、この現象によって金属微粒子が存在すると色変化が観察され、色の変化は金属微粒子の大きさや種類によって異なる。プラズモン吸収を生じると、金ナノ粒子は「紫色からピンク色（粒子径で色が変化）」を示すことが一般に知られている。この結果、溶液中に金属微粒子が生成されたと判断された。また、図２に示すように、ＴＥＭ画像からも、酵母の菌体外ではなく酵母の菌体内にＡｕの金属微粒子が確認された。これらのことから、電子供与体の存在の有無に拘わらず、これらの酵母はＡｕイオンを還元し、菌体内にＡｕを蓄積すると判断される。【００２８】
（パラジウムの回収）
濃度１.０mmol/lの塩化パラジウムの水溶液に、上記と同濃度の酵母を加え、電子供与体としてギ酸ナトリウム、乳酸ナトリウムを用いて金の場合と同様の実験を行った。その結果を図３に示す。また、ギ酸ナトリウムの存在下で２４時間接触した後の酵母のＴＥＭ画像を図４に示す。溶液の色も全ての系において、黄色からレモン色であったのが、Ｄ株ではギ酸ナトリウムの存在下では約２.５時間後に、また、乳酸ナトリウムの存在下では約４時間後に黒色に変化していた。また、Ｂ株でも２４時間後には黒色に変化していた。パラジウムのナノ粒子はプラズモン吸収により黒色を示すことが知られている。これらのことから、電子供与体の存在下で、酵母はＰｄイオンを還元して菌体内にＰｄを蓄積することが確認された。
【実施例２】
【００２９】
次に、Ｂ株、Ｄ株とは異なる３株の酵母を用いて同様の実験を行った。パン酵母であるサッカロマイセス・セレビシエ（Saccharomyces cerevisiae NBRC 2044株）、分裂酵母としてシゾサッカロマイセス・ポンベ（Schizosaccharomyces pombe FY15985株）、味噌酵母としてジゴサッカロマイセス・ルキシ（Zygosaccharomyces rouxii NBRC 1130株）を用いた。【００３０】
（金の回収）
１.２７mmol/m3の金イオン（Ａｕ3+）を含む塩化金の水溶液に、菌体濃度が１.５×１０15cells/mlとなるように酵母を加えた。酵母を加えた後、３０℃で静置し、溶液の金濃度の変化及び溶液の色調変化を調べた。また、電子供与体としてギ酸ナトリウムを５０mmol/m3となるように加えた場合についても同様の実験を行った。その結果を図５〜７に示した。図中のパーセンテージは、２４時間後の濃度の低下割合を示す。この間、溶液のｐＨは６.５〜６.７に保たれていたが、溶液の金イオン濃度は低下した。また、溶液の色はギ酸ナトリウムの存在下でピンク色から紫色に変色しており、金イオンの還元が認められた。なお、対照であるギ酸ナトリウムのみを加えた場合には、酵母によるバイオ還元が顕著に起こる酵母添加直後の時間内では、金イオン濃度の顕著な低下が見られず、この間には化学還元が起こっていないことが確認された（図示せず）。その一方、ギ酸ナトリウムを加えない場合にも金イオン濃度の低下が認められており、これらの酵母において、電子供与体の非存在下では還元だけでなくイオンの吸着及び吸収が生じていると考えられる。また、ギ酸ナトリウムの存在下で金イオンと接触させた後のパン酵母について粉末Ｘ線回析を行った結果、金イオンが還元されて金（金属）が生産されることが確認された（図８参照）。そして、酵母菌体内に金粒子が蓄積されることは、当該酵母のＴＭＥ画像やＥＤＸマッピングからも確認された（図９、図１０参照）。【００３１】
（パラジウムの回収）
１.２mmol/m3のパラジウムイオン（Ｐｄ2+）を含む塩化パラジウムの水溶液に、菌体濃度が１.５×１０14cells/ml（但し、パン酵母は１.５×１０15cells/ml）となるように酵母を加えた。酵母を加えた後、３０℃で静置し、溶液のパラジウム濃度の変化及び溶液の色調変化を調べた。また、電子供与体としてギ酸ナトリウムを５０mmol/m3となるように加えた場合についても同様の実験を行った。その結果を図１１〜１３に示した。図中のパーセンテージは、２４時間後の濃度の低下割合を示す。この間、溶液のｐＨは６.５〜６.７に保たれていた一方、溶液のパラジウムイオン濃度は低下した。また、溶液の色はギ酸ナトリウムの存在下で黒色に変色しており、パラジウムイオンの還元が認められた。なお、対照であるギ酸ナトリウムのみを加えた場合には、酵母によるバイオ還元が顕著に起こる酵母添加直後の時間内では、パラジウムイオン濃度の顕著な低下が見られず、この間には化学還元が起こっていないことが確認された（図示せず）その一方、ギ酸ナトリウムを加えない場合にもパラジウムイオン濃度の低下が認められており、これらの酵母において電子供与体の非存在下では還元よりもイオンの吸着及び吸収が生じていると考えられる。また、ギ酸ナトリウムの存在下でパラジウムイオンと接触させた後のパン酵母について粉末Ｘ線回析を行った結果、パラジウムイオンが還元されてパラジウム（金属）が生産されることが確認された（図１４参照）。そして、酵母菌体内にパラジウム粒子が蓄積されることは、当該酵母のＴＭＥ画像やＥＤＸマッピングからも確認された（図１５、図１６参照）。【００３２】
これらの結果から、電子供与体の非存在下における酵母Ｂ株、Ｄ株及び分裂酵母に限定されず、電子供与体の存在下ではパンや味噌など発酵に広く利用されている酵母を代表とする各種の酵母は貴金属の還元に利用できると言える。
【産業上の利用可能性】
【００３３】
本発明は、酵母を用いて溶液中の貴金属イオンを貴金属として回収する方法を提供する。
【００３４】
2015099189.tif 000003
【図１】
2015099189.tif 000004
【図３】
2015099189.tif 000005
【図５】
2015099189.tif 000006
【図６】
2015099189.tif 000007
【図７】
2015099189.tif 000008
【図８】
2015099189.tif 000009
【図１１】
2015099189.tif 000010
【図１２】
2015099189.tif 000011
【図１３】
2015099189.tif 000012
【図１４】
2015099189.tif 000013
【図２】
2015099189.tif 000014
【図４】
2015099189.tif 000015
【図９】
2015099189.tif 000016
【図１０】
2015099189.tif 000017
【図１５】
2015099189.tif 000018
【図１６】
2015099189.tif 000019
【国際調査報告】
2015099189.tif 000020
2015099189.tif 000021
2015099189.tif 000022
2015099189.tif 000023